(57)【要約】【課題】防食リングを流体管に取付けた状態で、防食リングの防食部における流体管の内周面よりも内側に一定以上張り出し不具合を起こす余剰部分を、切残しを生じさせることなく正確に切削または切断して除去することができる加工装置を提供すること。【解決手段】切断された流体管２の管端部に取付けられる防食リング３における管端面２ａ側を被覆する正面被覆部８の管内径側に張り出した余剰部分３ａを切削または切断可能な加工装置１であって、切断された流体管２の管端部の内周の接線に対して所定の傾斜角度を保持したまま、正面被覆部８の管内径側に張り出した余剰部分３ａを周方向に連続的に切削または切断する加工刃１３と、加工刃１３による前記所定の傾斜角度を保持した連続的切削または切断時に、正面被覆部８に当接される第１ガイド部１１ａと、切断された流体管２の管端部、防食リング３、または付属リング１９で構成される内外周形状部の少なくとも一つに当接される第２ガイド部１２ａと、を備えている。【選択図】図４
2014231124.tif 000002
【特許請求の範囲】
【請求項１】
切断された流体管の管端部に取付けられる防食リングにおける管端面側を被覆する正面被覆部の管内径側に張り出した余剰部分を切削または切断可能な加工装置であって、
前記切断された流体管の管端部の内周の接線に対して所定の傾斜角度を保持したまま、前記正面被覆部の管内径側に張り出した余剰部分を周方向に連続的に切削または切断する加工刃と、
前記加工刃による前記所定の傾斜角度を保持した連続的切削または切断時に、前記正面被覆部に当接される第１ガイド部と、前記切断された流体管の管端部、前記防食リング、または付属リングで構成される内外周形状部の少なくとも一つに当接される第２ガイド部と、を備えていることを特徴とする加工装置。
【請求項２】
前記第１ガイド部は、前記加工刃による前記所定の傾斜角度を保持した連続的切削または切断時に、該第１ガイド部の長手方向が前記流体管の管軸と直交しないことを特徴とする請求項１に記載の加工装置。
【請求項３】
前記第２ガイド部は、凸曲面形状であることを特徴とする請求項１または２に記載の加工装置。
【請求項４】
前記第２ガイド部は、前記加工刃の先端に該加工刃を挟むように設けられた先端部材の側面により構成されていることを特徴とする請求項１ないし３のいずれかに記載の加工装置。
【請求項５】
前記第２ガイド部は、回動自在なローラ部材により構成されていることを特徴とする請求項１ないし３のいずれかに記載の加工装置。
【請求項６】
前記第１ガイド部は、前記加工刃の延長方向に設けられていることを特徴とする請求項１ないし５のいずれかに記載の加工装置。
【発明の詳細な説明】
【技術分野】
【０００１】
本発明は、防食リングの防食部を切削または切断する加工装置に関する。
【背景技術】
【０００２】
従来、流体管は配管工事などの使用時において、使用される流体管の長さを調節するために切断処理されて利用される。そのため配管の長期の使用により切断された管端面に腐食が生じることになる。そのため流体管は、切断された後に流体管の端部外周面に、その端部外周面部分を外嵌する取付部と流体管の管端面に亘り当接する防食部とを備える防食リングが取付けられ、管端面の防食処理が行われるのが一般的である。
【０００３】
しかし、防食対象となる流体管の内径及び外径寸法には、類似規格であっても許容寸法差が存在するため、例えば対象となる流体管の内径寸法が大径である場合等においては、防食部の内径側端部が流体管内側に突出してしまい、流体管内を通過する流体の流体圧や洗管ピグ等を用いた洗管や管内点検等に用いる器具の当接等により防食リングが管端面から離脱してしまう虞があった。そこで、流体管の端部に防食キャップを被せた後に、防錆キャップ（防食リング）における防食部に相当する粘着材並びにフランジ部の流体管の内周面よりも内側にはみ出した余剰部分を切断手段を用いて切除する場合がある（例えば、特許文献１第３図参照）。
【先行技術文献】
【特許文献】
【０００４】
【特許文献１】特開２００１−１７３８８１号公報（第３頁、第３図）
【発明の概要】
【発明が解決しようとする課題】
【０００５】
しかしながら、特許文献１に示される防錆キャップにおいて余剰部分の切除をカッター等を用い行っていたため、防錆キャップにおける粘着材並びにフランジ部を流体管の内径寸法に正確に合わせようとすると、流体管内面に傷をつけることとなる。そのためカッターの傾斜角度に十分注意を払って流体管内面に傷をつけないように切断を実施したとしても、人の手作業のためにカッターの角度が逐次変化してしまい、カッターの刃先と管端部内周面との距離が一定せず、余剰部分の切残しが生じ、切断後の切断面が歪な形状になってしまう慮があった。
【０００６】
本発明は、このような問題点に着目してなされたもので、防食リングを流体管に取付けた状態で、防食リングの防食部における流体管の内周面よりも内側に一定以上張り出し不具合を起こす余剰部分を、切残しを生じさせることなく正確に切削または切断して除去することができる加工装置を提供することを目的とする。
【課題を解決するための手段】
【０００７】
前記課題を解決するために、本発明の加工装置は、
切断された流体管の管端部に取付けられる防食リングにおける管端面側を被覆する正面被覆部の管内径側に張り出した余剰部分を切削または切断可能な加工装置であって、
前記切断された流体管の管端部の内周の接線に対して所定の傾斜角度を保持したまま、前記正面被覆部の管内径側に張り出した余剰部分を周方向に連続的に切削または切断する加工刃と、
前記加工刃による前記所定の傾斜角度を保持した連続的切削または切断時に、前記正面被覆部に当接される第１ガイド部と、前記切断された流体管の管端部、前記防食リング、または付属リングで構成される内外周形状部の少なくとも一つに当接される第２ガイド部と、を備えていることを特徴としている。
この特徴によれば、加工刃による前記所定の傾斜角度を保持した連続的切削または切断時に、第１ガイド部が前記正面被覆部に当接されるとともに、それと３次元的に方向の異なる第２ガイド部が流体管の管端部、防食リング、または付属リングで構成される内外周形状部の少なくとも一つに当接されるため、加工刃による前記所定の傾斜角度を保持した連続的切削または切断時に加工刃の刃先と管端部内周面との距離が一定に保たれることになり、防食リングの正面被覆部における余剰部分を正確に切削または切断して除去することができる。
【０００８】
前記第１ガイド部は、前記加工刃による前記所定の傾斜角度を保持した連続的切削または切断時に、該第１ガイド部の長手方向が前記流体管の管軸と直交しないことを特徴としている。
この特徴によれば、第１ガイド部の長手方向が管軸と直交しないことから、第１ガイド部と前記正面被覆部との当接領域を周方向に長く確保することができるため、第１ガイド部が正面被覆部上で安定しやすくなり、加工刃の刃先と管端部内周面との距離を一定に保ちやすくすることができる。
【０００９】
前記第２ガイド部は、凸曲面形状であることを特徴としている。
この特徴によれば、第２ガイド部は、流体管の管端部、防食リング、または付属リングで構成される内外周形状部に対してスムーズに移動させることができる。
【００１０】
前記第２ガイド部は、前記加工刃の先端に該加工刃を挟むように設けられた先端部材の側面により構成されていることを特徴としている。
この特徴によれば、第２ガイド部としての先端部材が、加工刃の切削または切断時の所定の傾斜に伴って傾斜するため加工刃を確実にガイドできるばかりか、加工刃の先端が先端部材により被覆されるため流体管の内周面を傷付ける虞を回避できる。
【００１１】
前記第２ガイド部は、回動自在なローラ部材により構成されていることを特徴としている。
この特徴によれば、第２ガイド部は、回動自在なローラ部材であるため、流体管の管端部、防食リング、または付属リングで構成される内外周形状部に対してスムーズに移動させることができる。
【００１２】
前記第１ガイド部は、前記加工刃の延長方向に設けられていることを特徴としている。
この特徴によれば、加工刃の延長方向に第１ガイド部が設けられていることから、加工刃を境にした第１ガイド部及び第２ガイド部の両側を対称形状とすることで、連続的切削または切断をどちらの方向にも行うことができる。
【図面の簡単な説明】
【００１３】
【図１】実施例１における加工装置の側面図、及び流体管を示す側断面図である。
【図２】加工装置を示す分解斜視図である。
【図３】防食リングに対して加工装置を取付けた状態を示す斜視図である。
【図４】（ａ）は、余剰部分の切断開始時を示す背面断面図であり、（ｂ）は、余剰部分を所定距離切断した状態を示す背面断面図である。
【図５】（ａ）は、余剰部分を時計回りに切断する様子を示す正面図であり、（ｂ）は、余剰部分を反時計回りに切断する様子を示す正面図である。
【図６】（ａ）は、実施例２における加工装置を示す側面図であり、（ｂ）は、同じく平面図であり、（ｃ）は、同じく正面図である。
【図７】実施例２における加工装置により余剰部分を所定距離切断した状態を示す背面断面図である。
【図８】（ａ）は、実施例３における加工装置を示す側面図であり、（ｂ）は、同じく平面図であり、（ｃ）は、同じく正面図である。
【図９】（ａ）は、実施例３における加工装置による余剰部分の切断時の状態を示す側断面図であり、（ｂ）は、切断方向を切り替え可能な状態を示す正面図である。
【図１０】（ａ）は、実施例４における加工装置を示す平面図であり、（ｂ）は、同じく側断面図であり、（ｃ）は、同じく正面図である。
【図１１】（ａ）は、実施例４における加工装置による余剰部分の切断時の状態を示す側断面図であり、（ｂ）は、同じく背面断面図である。
【図１２】（ａ）は、実施例４における加工装置の変形例を示す平面図であり、（ｂ）は、同じく側断面図であり、（ｃ）は、同じく正面図である。
【発明を実施するための形態】
【００１４】
本発明に係る加工装置を実施するための形態を実施例に基づいて以下に説明する。
【実施例１】
【００１５】
実施例１に係る加工装置につき、図１から図５を参照して説明する。以下、図１の画面左側を流体管の正面側として説明する。
【００１６】
図１に示すように、本実施例の流体管２は、例えば、地中に埋設される上水道用のダクタイル鋳鉄製であり、断面視略円形状に形成され、内周面２ｂが粉体塗装あるいはモルタル層で被覆されている。尚、本発明に係る流体管は、その他鋳鉄、鋼等の金属製であってもよい。更に尚、流体管の内周面はモルタル層に限らず、例えばエポキシ樹脂等により被覆されてもよく、若しくは適宜の材料を粉体塗装により流体管の内周面に被覆してもよい。また、本実施例では流体管内の流体は上水であるが、流体管の内部を流れる流体は必ずしも上水に限らず、例えば工業用水や農業用水、下水等の他、ガスやガスと液体との気液混合体であっても構わない。
【００１７】
図１に示されるように、防食リング３は、流体管２の管端面２ａを全周に亘って貼着される防食粘着層４と、防食粘着層４を管端面２ａに押圧する第１樹脂体５と、流体管２の外周に外嵌する取付部７及び該取付部７の端部より内径方向に延出し管端面２ａを被覆する被覆部を有する第２樹脂体６と、を備えている。
【００１８】
第２樹脂体６は、ポリプロピレン等の弾性を有する合成樹脂材により正面視環状をなすように形成されており、その被覆部にエラストマー等により形成された第１樹脂体５が二色成型されている。また、被覆部の外径側端部には、正面側に向けて突出される突条８ａを備えている。
【００１９】
また、第１樹脂体５の内径は、その内径側端部が自然状態において正面被覆部８の内径方向端部より突出して、同規格の流体管における金属部のいずれの内径よりも小径若しくは同径となるように設計されているため、同規格内で許容される公差の範囲内で内径の異なる種々の流体管に対して共通して取付けて防食を行うことができるようになっている。
【００２０】
図１に示される符号１は、このような防食リング３を前記防食粘着層４を用いて流体管２に取付けを完了した状態で、流体管２の内周面２ｂよりも内側にはみ出した第１樹脂体５及び被覆部の少なくとも一方からなる正面被覆部８の余剰部分３ａを、切断することができる加工装置を示している。なお、余剰部分３ａとは、流体管２の内周面２ｂよりも一定以上内側に張出した部分であって、洗管ピグ等の通過の際に不具合を生じる部分をいう。
【００２１】
加工装置１は、図１及び図２に示されるように、加工装置１の基部材であるカバー部材１０と、当て板部材１１と、案内部材１２と、加工刃１３と、ハンドル１４，１５，１６と、を備えている。
【００２２】
図２に示されるように、カバー部材１０は、加工刃１３が嵌合される溝部１０ａが切り欠かれて形成されている。カバー部材１０の両側面には、溝部１０ａに嵌合された加工刃１３を固定する連結ボルト２０，２０，…を螺入可能な連結孔１０ｂ，１０ｂ，…が、片面に離間して２箇所ずつ設けられているとともに（片面のみ図示）、ハンドル１４，１５を螺挿可能なハンドル受け部１０ｄ，１０ｄ（片方のみ図示）がそれぞれ設けられている。また、カバー部材１０の底面には、ネジ孔１０ｃ，１０ｃが長手方向に離間して計４箇所設けられている。また、カバー部材１０の上面には、ハンドル１６を螺挿可能なハンドル受け部１０ｄ（図示略）が設けられている。
【００２３】
加工刃１３は、刃先部１３ａが略円弧状に形成されており、分割された基部材１８，１８’により挟まれた状態でボルト２１により基部材１８，１８’同士を締め付けつけることでユニット化されている。
【００２４】
加工刃１３は、基部材１８，１８’に固定された状態で溝部１０ａに嵌合され、更に基部材１８，１８’の側面にそれぞれ設けられたボルト孔１８ｂ，１８ｂ，…に連結孔１０ｂ，１０ｂ，…を介して連結ボルト２０，２０，…が螺入されることでカバー部材１０に固定される。
【００２５】
当て板部材１１は、平面視でカバー部材１０と略同一形状をなしており、複数のネジ孔１１ｃ，１１ｃ，…が形成されている。当て板部材１１は、ネジ孔１１ｃ，１１ｃ，…と、カバー部材１０の底面に設けられたネジ孔１０ｃ，１０ｃ，…とにネジ９，９，…を螺入することで、前記カバー部材１０の溝部１０ａの開口部分を塞ぐように着脱可能に固定されるようになっている。
【００２６】
当て板部材１１の前方側には、長手方向に沿って形成される長穴１１ｂが設けられており、前記加工刃１３の刃先部１３ａが長穴１１ｂを介して外側に突出するようになっている。また、当て板部材１１におけるカバー部材１０側の面には、加工刃１３の一部が嵌合される溝部１１ｄが形成されており、溝部１１ｄの深さ分、刃先部１３ａが外側に突出する長さをかせぐことができる。
【００２７】
また、後に詳述するが、当て板部材１１における底面１１ａは、前記防食リング３の余剰部分３ａの切除時に正面被覆部８に当接される第１ガイド部として機能するようになっている（図３参照）。
【００２８】
案内部材１２は、平行に並列された半円形状の棒状部１２ｂ，１２ｂ’に架設部１２ｃが架設された略Ｈ字形状となっている。この棒状部１２ｂ，１２ｂ’の凸曲面１２ａ，１２ａ’が、それぞれ外側を向くようになっており、当該各棒状部１２ｂ，１２ｂ’の凸曲面１２ａ，１２ａ’は、前記防食リング３の余剰部分３ａの切除時に防食リング３の取付部７に当接される第２ガイド部として機能するようになっている（図３，４参照）
【００２９】
この案内部材１２は、棒状部１２ｂ，１２ｂ’の各端部１２ｄ，１２ｄ’がカバー部材１０の短手方向を挟み込むように配置され、それぞれに設けられたネジ孔１２ｅ，１２ｅ’にボルト２２，２２を螺入させ、当該ボルト２２，２２の先端部をカバー部材１０の短手方向側面に押し付けることで、着脱可能に取付けられる。上記したような固定方法であるため、案内部材１２は、ボルト２２，２２を緩めることでカバー部材１０の長手方向において位置調整できるようになっている。
【００３０】
ハンドル１４，１５，１６は、取付け端部にそれぞれネジ部１４ａ，１５ａ，１６ａが設けられており、各ネジ部１４ａ，１５ａ，１６ａが前記ハンドル受け部１０ｄ，１０ｄ，１０ｄにそれぞれ螺入されることでカバー部材１０に固定される。
【００３１】
上記のように構成された加工装置１は、当て板部材１１の長手方向と加工刃１３の長手方向とが、同一方向を向いているとともに、棒状部１２ｂ，１２ｂ’が当て板部材１１の長手方向と直交方向を向くようになっており、加工刃１３を中心とした両側が対称の形状と成っている。
【００３２】
続いて、加工装置１により防食リング３の内径側余剰部分３ａを切除する方法を図３から図５を用いて説明する。切除工程の前に先ず、正面視略Ｃ字形状に形成された付属リングとしての保護部材１９を、防食リング３が装着された流体管２の管端部近傍の内周面２ｂに内嵌させる（図３参照）。この保護部材１９は、金属製の薄板により形成され、自らの弾性復帰力により流体管２の内周面２ｂに内嵌するようになっているが、例えば、硬質の合成樹脂等により形成されていてもよい。これによれば、流体管２の内周面２ｂが保護部材１９により保護され、加工装置１による防食リング３の内径側余剰部分３ａを切除時において刃先部１３ａが流体管２の内周面２ｂを傷つけることを防止できる。
【００３３】
切除工程としては、図３及び図４（ａ）に示されるように、先ず、当て板部材１１の底面１１ａを正面被覆部８の突条８ａに当接させ、刃先部１３ａを流体管２の管軸方向側に立てた状態で防食リング３の余剰部分３ａの厚さ分切り込む。このとき、前記加工刃１３の刃先部１３ａを当接させることで切り込む工程の完了としてもよい。
【００３４】
続いて、刃先部１３ａが余剰部分３ａの底部とする深さまで切り込まれた時点で、棒状部凸曲面１２ａを、防食リング３の取付部７の外周面に当接させ、当て板部材１１の長手方向が、流体管２の管端部の内周の接線に対して所定の傾斜角度となるように傾斜角度を調整する。これにより、加工刃１３が防食リング３の内周面の接線に対して所定の傾斜角度が維持された状態で、流体管２の周方向に連続的に切削及び切断が可能となっている。すなわち加工刃１３による防食リング３の余剰部分３ａの切削及び切断角度が維持された状態となる。尚、加工刃１３による防食リング３の余剰部分３ａの切削及び切断は、必ずしも周方向に連続的に行うものに限らず、断続的に行うものであってもよい。
【００３５】
尚、棒状部凸曲面１２ａを有する案内部材１２は、前述したようにボルト２２，２２を緩めることでカバー部材１０の長手方向において位置調整できるようになっており、流体管２及び防食リング３の外径および内径、更に防食リング３において切除する余剰部分３ａの厚み等に応じて適宜位置を変えることで加工刃１３との距離を調整し、前記加工刃１３における防食リング３の内周面の接線に対する傾斜角度を適宜設定した上で切除工程が開始されるようになっている。
【００３６】
このように、当て板部材１１の底面１１ａが正面被覆部８における突条８ａに当接されるとともに、それと３次元的に方向の異なる棒状部凸曲面１２ａが防食リング３の取付部７の外周面で構成される流体管２の管端部の内外周形状部に当接されるため、加工刃１３による所定の傾斜角度を保持した連続的切削または切断時に、加工刃１３の刃先部１３ａと管端部内周面２ｂとの距離αが一定に保たれることになる。すなわち、加工刃１３が流体管内周面２ｂと略平行に保たれた状態で切削および切断が可能となる。尚、流体管２の管端部とは、流体管の管端面（切断面）及び防食リング３の装着部分を少なくとも含む、当該管端面（切断面）の近傍部分をいう。
【００３７】
図４（ｂ）に示されるように、加工装置１を背面視で反時計回りに所定距離移動させて、前記余剰部分３ａを周方向に連続的に切断する。このとき、前述したように、当て板部材１１の底面１１ａが正面被覆部８の突条８ａに当接して、加工刃１３が流体管内周面２ｂと略平行に保たれた状態、かつ棒状部凸曲面１２ａが防食リング３の取付部７の外周面に当接して、加工刃１３による防食リング３の余剰部分３ａの切削及び切断角度が維持された状態で、連続的に切削または切断されるため、防食リング３の余剰部分３ａを正確に切削または切断して除去することができる。
【００３８】
また、棒状部凸曲面１２ａは、余剰部分３ａの切削または切断時において、刃先部１３ａよりも加工装置１の進行方向前方側の取付部７に当接するため、棒状部凸曲面１２ａと刃先部１３ａとが、流体管２の管壁を挟んで周方向にずれ、当て板部材１１の底面１１ａの長手方向が流体管２の管軸と直交せずに所定角度で傾くようになっている。これによれば、当て板部材１１の底面１１ａと正面被覆部８との当接領域を周方向に長く確保することができるため、底面１１ａが正面被覆部８の突条８ａ上で安定しやすくなり、加工刃１３の刃先部１３ａと流体管２の内周面２ｂとの距離αを一定に保ち易い。
【００３９】
更に、余剰部分３ａの切削または切断時において、刃先部１３ａが流体管内周面２ｂに内嵌された保護部材１９の内周面１９ａに当接するとともに棒状部凸曲面１２ａが刃先部１３ａよりも進行方向の前方側の取付部７に当接しているため、刃先部１３ａと棒状部凸曲面１２ａとによって防食リング３および流体管２を挟むようにして、加工装置１が防食リング３の内周面の接線に対して所定の傾斜角度が維持されるため、防食リング３の余剰部分３ａに対する切込み進入角度を一定に保持することができる。
【００４０】
また、棒状部凸曲面１２ａは凸曲面形状であることから、加工装置１を移動させる際に、取付部７の外周面に対して棒状部凸曲面１２ａが線接触するため、取付部７の外周面と棒状部凸曲面１２ａとの接触抵抗が低く、スムーズに加工装置１を移動させて余剰部分３ａの切削または切断を行うことができる。
【００４１】
更に、前述したように加工装置１は、加工刃１３を中心とした両側が対称の形状と成っているため、図５（ａ）に示されるように、防食リング３の下端部から防食リング３の余剰部分３ａを正面視で時計回りに連続的に半分切断した後、図５（ｂ）に示されるように、加工装置１の向きを変え、防食リング３の下端部から防食リング３の残りの余剰部分３ａを反時計回りに連続的に切断することができる。尚、上記のように２回に分けて防食リング３の余剰部分３ａを切断することに限らず、時計回り若しくは反時計回りの一方向のみで連続的に１回で切断してもよいし、３回以上の複数回に分けて切断してもよい。
【００４２】
また、本実施例において切除工程は、先ず、加工刃１３を流体管２の管軸方向側に立てた状態で防食リング３の余剰部分３ａの底部とする深さまで切込み、その後、加工刃１３における防食リング３の内周面の接線に対する傾斜角度を、余剰部分３ａの底部に切り込まれる角度に変え、加工装置１を防食リング３から離さずに一度に余剰部分３ａを切除できる態様で説明しているが、この限りではなく、１周目は棒状部凸曲面１２ａと加工刃１３との距離を広くすることで、加工刃１３の切込み角度を浅くし、２周目以降は棒状部凸曲面１２ａと加工刃１３との距離を漸次狭くして加工刃１３の切込み角度を深くするようにして、余剰部分３ａを複数周に分けて徐々に切除するようにしてもよい。
【００４３】
また、加工刃１３を、基部材１８，１８’から取り替えることが可能であるため、刃先部１３ａに不具合が生じた場合には、加工刃１３を取り替えるのみで済み、コストを抑えることができる。尚、当て板部材１１の底面１１ａまたは棒状部凸曲面１２ａ，１２ａ’に不具合が生じた際には、同様に、当て板部材１１または案内部材１２のみを交換することができる。
【００４４】
尚、本実施例では、防食リング３の正面被覆部８には突条８ａが設けられているため、当て板部材１１の底面１１ａが突条８ａに当接していたが、防食リングの種類によっては突条８ａが設けられていないものも存在し、その場合、当て板部材１１の底面１１ａは正面被覆部８の正面に当接させることになる。また、例えば、当て板部材１１の底面１１ａ側に突条８ａを避けて正面被覆部８にのみ当接する凸部を設けるようにしてもよい。
【００４５】
尚、第１ガイド部の変形例として、例えば、当て板部材におけるカバー部材と反対側の面に取付けられるローラ部材がある。このローラ部材は、当て板部材の長手方向に所定角度傾斜して取付けられ、正面被覆部に沿って周方向に移動可能になっている。このように、ローラ部材が周方向にのみ移動するように方向付けされているため、加工刃の刃先部と流体管の内周面との距離を一定に保ち易い。更に尚、このローラ部材が複数設けられる場合、外側に設けられるローラ部材は、内側に設けられるローラ部材よりも大きい曲率で周方向に移動するように方向付けされることが好ましい。
【実施例２】
【００４６】
次に、実施例２に係る加工装置につき、図６及び図７を参照して説明する。尚、前記実施例と同一構成で重複する説明を省略する。
【００４７】
加工装置１００は、加工刃１３を挟む基部材１８の張出部１８ａにハンドル１４１が取付けられている。基部材１８の底面１１１ａは、前述した防食リング３における余剰部分３ａの切除時において防食リング３の正面被覆部８に当接される第１ガイド部として機能するようになっている。
【００４８】
刃先部１３ａの先端には、刃先部１３ａを挟むように先端部材１９１が固着されており、この先端部材１９１の側面１２１ａ，１２１ａ’は、凸曲面形状となっている。そして、この側面１２１ａ，１２１ａ’は、防食リング３における余剰部分３ａの切除時において流体管内周面２ｂに当接される第２ガイド部として機能するようになっている。
【００４９】
図７に示されるように、加工装置１００を背面視で反時計回りに所定距離移動させて、前記余剰部分３ａを周方向に連続的に切断する際、基部材１８の底面１１１ａが正面被覆部８に当接されるとともに、先端部材側面１２１ａが流体管２の内周面２ｂに当接されるため、加工刃１３の刃先部１３ａと管端部内周面２ｂとの距離が一定に保たれる。さらに、刃先部１３ａが、管端部内周面２ｂから先端部材側面１２１ａの厚さ分常に離間されるため、前述したような保護部材１９を用いなくとも管端部内周面２ｂが加工刃１３により傷つけられることがない。
【００５０】
このように、加工刃１３の先端に加工刃１３を挟むように設けられた先端部材１９１の側面１２１ａ，１２１ａ’が、第２ガイド部として構成されていることで、先端部材１９１が、加工刃１３の切削または切断時の所定の傾斜に伴って傾斜するため加工刃１３を確実にガイドできるばかりか、加工刃１３の先端が先端部材１９１により被覆されるため流体管２の内周面２ｂを傷付ける虞を回避できる。
【実施例３】
【００５１】
次に、実施例３に係る加工装置につき、図８及び図９を参照して説明する。尚、前記実施例と同一構成で重複する説明を省略する。
【００５２】
図８に示されるように、加工装置２００は、当て板部材１１２と加工刃１３とが連結された加工ユニット２４を一対備えている。この加工ユニット２４，２４は、加工刃１３，１３の一方の側面近傍から刃先部１３ａ，１３ａを跨ぐように延びるＬ字状の延設部材２５，２５を備えている。
【００５３】
尚、各当て板部材１１２の底面１１２ａは、防食リング３における余剰部分３ａの切除時において防食リング３の正面被覆部８に当接される第１ガイド部として機能するようになっており、延設部材２５，２５の端部１２２ａ，１２２ａは、防食リング３における余剰部分３ａの切除時において流体管２の内周面２ｂに当接される第２ガイド部として機能するようになっている。
【００５４】
加工ユニット２４，２４は、刃先部１３ａ，１３ａと反対側の端部同士が接続部材２３により接続されることで加工装置２００が構成されており、加工ユニット２４，２４は、接続部材２３を境に、互いの加工刃１３の刃先部１３ａが対向した対称形状と成っている。
【００５５】
これによれば、図９に示されるように、任意の刃先部１３ａを、防食リング３の余剰部分３ａにおける内周面に対して所定の傾斜角度に傾けることのみで、所望の方向に余剰部分３ａを連続的に切断することができるため、時計回り若しくは反時計回りに切断方向の切り替えを容易に行える。
【実施例４】
【００５６】
次に、実施例４に係る加工装置につき、図１０及び図１１を参照して説明する。尚、前記実施例と同一構成で重複する説明を省略する。
【００５７】
図１０に示されるように、加工装置３００の当て板部材１１３は、底面１１３ａの中央部に凸条部１１３ｂが設けられており、凸条部１１３ｂの裏面側に凹部１１３ｃが設けられ、当該凹部１１３ｃにハンドル１４２が取付けられている。また、凸条部１１３ｂの両端には、凸条部１１３ｂに対して垂直に延びる梁部材２６，２６が固定されており、当該梁部材２６，２６は、凸条部１１３ｂと同一形状の連結部材２７により各先端が繋がれている。この梁部材２６，２６には、加工刃１３１，１３１がそれぞれ所定角度傾斜して取付けられており、刃先部１３１ａ，１３１ａは互いに向かい合うようになっている。
【００５８】
また、連結部材２７における梁部材２６，２６と反対側の面には、軸部材１２３ｂと、その軸部材１２３ｂ周りに回動自在なローラ部材１２３ａが配設されている。さらに、梁部材２６，２６の側部には、加工刃１３１，１３１より外側に突起部材２８，２８が突設されている。
【００５９】
尚、当て板部材１１３の底面１１３ａは、防食リング３における余剰部分３ａの切除時において防食リング３の正面被覆部８に当接される第１ガイド部として機能するようになっており、ローラ部材１２３ａは、防食リング３における余剰部分３ａの切除時において流体管内周面２ｂに当接される第２ガイド部として機能するようになっている。
【００６０】
図１１に示されるように、防食リング３の余剰部分３ａの切断時には、当て板部材１１３の底面１１３ａが正面被覆部８の突条８ａに当接するとともに、ローラ部材１２３ａが流体管２の内周面２ｂに当接される。そのため、加工装置３００を流体管２の周面形状に沿ってスムーズに移動させることができる。またこのとき、突起部材２８，２８も流体管２の内周面２ｂに当接されるようになっており、これにより、加工刃１３１が所定の傾斜角度を向いた状態を保持できる。
【００６１】
尚、本実施例の変形例として、図１２に示されるように、加工装置４００は、一方のみの梁部材２６の裏表に加工刃１３１，１３１が取付けられており、この加工装置４００の角度を変えることで防食リング３の余剰部分３ａの切断方向を切り替えできるようになっている。
【００６２】
以上、本発明の実施例を図面により説明してきたが、具体的な構成はこれら実施例に限られるものではなく、本発明の要旨を逸脱しない範囲における変更や追加があっても本発明に含まれる。
【００６３】
例えば、流体管の外周面側と流体管２の内周面側とに当接する第２ガイド部をそれぞれ設け、第１ガイド部と前記２つの第２ガイド部との３点で加工装置を支持することにより、刃先部と流体管の内周面との距離を確実に一定に保つようにしてもよい。
【符号の説明】
【００６４】
１                加工装置
２                流体管
２ｂ              内周面
３                防食リング
３ａ              余剰部分
７                取付部
８                正面被覆部
８ａ              突条
１０              カバー部材
１１              当て板部材
１１ａ            底面（第１ガイド部）
１２              案内部材
１２ｂ，１２ｂ’  棒状部
１２ａ，１２ａ’  棒状部凸曲面（第２ガイド部）
１３              加工刃
１３ａ            刃先部
１４，１５，１６  ハンドル
１９              保護部材（付属リング）
２４              加工ユニット
２８，２８        突起部材
１００            加工装置
１１１ａ          底面（第１ガイド部）
１１２            当て板部材
１１２ａ          底面（第１ガイド部）
１１３            当て板部材
１１３ａ          底面（第１ガイド部）
１２１ａ          先端部材側面（第２ガイド部）
１２２ａ，１２２ａ  端部（第２ガイド部）
１２３ａ            ローラ部材（第２ガイド部）
１３１              加工刃
１３１ａ            刃先部
１９１              先端部材
２００              加工装置
３００              加工装置
４００              加工装置
【図１】
2014231124.tif 000003
【図２】
2014231124.tif 000004
【図３】
2014231124.tif 000005
【図４】
2014231124.tif 000006
【図５】
2014231124.tif 000007
【図６】
2014231124.tif 000008
【図７】
2014231124.tif 000009
【図８】
2014231124.tif 000010
【図９】
2014231124.tif 000011
【図１０】
2014231124.tif 000012
【図１１】
2014231124.tif 000013
【図１２】
2014231124.tif 000014